(57)【要約】      （修正有）【課題】気密効果を高め、使用環境に応じてバルブの気体排出量を変化させてガスボンベを密閉する動作を強化し、気体の使用効率を高める玩具銃を提供する。【解決手段】玩具銃本体に可動な状態に設ける遊底構造部１１を含み、また、玩具銃本体に内設される銃身座２を含む。銃身座２は下気体制御モジュール２１と、下気体制御モジュール２１上であって、かつ遊底構造部１１の一方の側に着脱自在に設ける上気体制御モジュール２２とを含むとともに、銃身座２の一方の側には摺動溝２５を形成する。また、銃身座２内に可動な状態に設ける撃発部材３を含み、撃発部材３は、エアバルブ３１と、エアバルブ３１の一方の側に弾性を具えるように設けるハンマーと、ハンマーとエアバルブ３１の打撃点を修正するハンマー連結桿３３と、ハンマーの一方の側に回動自在に設けるメインハンマーフックとを含む。また、銃身座２に連結する引き金連動部４、及び、エアバルブロック５を含む。【選択図】図３
0003222458.tif 000002
【実用新案登録請求の範囲】
【請求項１】
玩具銃本体と、
該玩具銃本体に可動な状態に設ける遊底構造部と、
該遊底構造部の一方の側に範囲を限定して設けるエアバルブロック当接部と、
該玩具銃本体に内設され、かつ下気体制御モジュールと、該下気体制御モジュール上であって、かつ該遊底構造部の一方の側に着脱自在に設ける上気体制御モジュールとを含んでなる銃身座と、
該銃身座内に可動な状態に設けられ、かつエアバルブと、該エアバルブの一方の側に弾性を具えるように設けるハンマーと、該ハンマー上に回動自在に設けられて該エアバルブへの打撃に供し、該ハンマーと該エアバルブの打撃点を修正するハンマー連結桿とを含んでなる撃発部材と、
該銃身座に連結して該ハンマーを連動させるために供する引き金連動部と、
該銃身座上に着脱自在に設けるエアバルブロックと、
該エアバルブロックの一方の側に設けられ、かつ該上気体制御モジュールを貫通するように設けられて該エアバルブの位置移動の動作を制限するエアバルブロック位置制限部と、
該エアバルブロックの一方の側に形成され、かつ該上気体制御モジュールから凸出するように形成され、該エアバルブロック当接部の動作に合わせて作動し、該エアバルブロック当接部の当接の動作を制御するエアバルブロック被押圧部と、
該エアバルブロックの底部に設けるエアバルブロックバネと、
該玩具銃本体の一方の側に形成され、該下気体制御モジュールに連通するとともに、ガスボンベに接続する気体進入通路と
該気体進入通路内に可動な状態に設けられる刺衝部材と
該刺衝部材の尖頭状挿入部を形成する側とは逆の側に保留する蓄圧空間と、を含んでなり、
該刺衝部材が、該ガスボンベに連通する尖頭状挿入部と、該尖頭状挿入部から該刺衝部材を貫通する気体送り孔とを含み、
該蓄圧空間を設けることによって、該気体送り孔を介して送られる気体で該刺衝部材を該ガスボンベに向かって押圧することを特徴とする玩具銃。
【請求項２】
前記銃身座内に該下気体制御モジュールと該上気体制御モジュールとの間に設ける少なくとも１以上の押上げ調整板を含むことを特徴とする請求項１に記載の玩具銃。
【請求項３】
前記ハンマーが、一方の側にハンマーバネとハンマー軸とを具え、該ハンマーバネは該ハンマーが外部の力に抵抗できない場合、自然に元に復帰するために供し、
該ハンマー連結桿上には、該ハンマー軸の一方の側に設けた連結桿軸を具え、
該引き金連動部が、引き金座と、該引き金座上に設ける引き金部と、該引き金座の一方の側に設ける引き金バネと、該引き金座の該引き金部を設ける側とは逆の側に回動自在に設ける引き金連動桿と、該引き金連動桿の該引き金座の側とは逆の一端に設ける引き金連結桿当接部と、及び該引き金連結桿の一方の側に設ける引き金連結桿バネとを含むことを特徴とする請求項１に記載の玩具銃。
【請求項４】
前記撃発部材が、該ハンマーの一方の側に回動自在に設けるメインハンマーフックと、該メインハンマーフックの一方の側に設けるハンマーフックバネと、該メインハンマーフックの一方の側に形成されて該引き金連結桿当接部の動作に合わせて作動するハンマーフック被押圧部とを含んでなり、
該メインハンマーフックは該ハンマーの撃発可能状態の固定に供し、
該ハンマーフックバネは該メインハンマーフックの固定可能状態への復帰に供し、
該ハンマーは一方の側に該メインハンマーフックに合わせて作動する第１位置制限部を具え、
該銃身座上に撃発モード制御部材を設け、該撃発モード制御部材は、該銃身座の外部に設ける操作レバー部と、及び該操作レバー部の一方の側に形成され、かつ該引き金連動部の一方の側に位置し、該メインハンマーフックの固定状態を制御する撃発位置制限部材とを含み、
該引き金座上には該撃発位置制限部材上に当接する引き金制御部材を設け、該撃発位置制限部材上には、該引き金制御部材の回転を阻止する撃発位置制限ブロックと、及び該引き金連動桿の動作角度の制御に供する撃発位置制限部とを有し、
該撃発位置制限ブロックは、該撃発位置制限部材上に形成される第１位置制限溝と、該第１位置制限溝の一方の側に形成される第２位置制限溝とを含み、
該第１位置制限溝は、該引き金制御部材が第１ストロークとして回転するために供し、該第２位置制限溝は、該引き金制御部材が第２ストロークとして回転するために供し、該第１ストロークが該第２ストロークより短いことを特徴とする請求項３に記載の玩具銃。
【請求項５】
前記撃発部材が該エアバルブロックの一方の側に回動自在に設けて該ハンマーの当接に供して該ハンマーの動作を遅延させるサブハンマー桿と、該サブハンマー桿上に形成され、かつ該銃身座より凸出するサブハンマー桿被当接部と含み、
該ハンマーの一方の側には該サブハンマー桿の動作に合わせて作動する第２位置制限部を設け、該遊底構造の一方の側に範囲を限定して該サブハンマー桿被当接部の動作に合わせて作動するサブハンマー桿当接部を形成することを特徴とする請求項３に記載の玩具銃。
【請求項６】
前記エアバルブ上であって、該気体進入通路に隣り合う側に少なくとも１以上の圧力抜きガイド溝を形成することを特徴とする請求項１に記載の玩具銃。
【考案の詳細な説明】
【技術分野】
【０００１】
この考案は玩具銃に関し、特にガス圧で弾丸を発射する機構を有するエアガンにおいて、機械構造の公差を補償し、気密効果を高め、使用環境に応じてバルブの気体排出量を変化させてガスボンベを密閉する動作を強化してエアガン全体の気体の使用効率を高めた玩具銃に関する。
【背景技術】
【０００２】
サバイバルゲームが今日に至るまで発展し、いわゆるミリタリーマニアの玩具銃に対する要求も日増しに高くなってきた。その中でミリタリーマニアの収集家は、特に玩具銃の外観と操作のリアル性とについて気に掛ける。そこで外観とリアル性とを兼ね備えるという前提の下で玩具銃全体の構造が複雑化することは避けられないことであった。但し、エアガンについていえば、複雑な構造は大量生産することにより、又は摩耗したり衝撃を受けたりすることによって微細な公差が容易に発生する。このためガス漏れが発生して気体の使用効率が低下し、内部の機械構造の動作不良を招くといった状況が発生する。
【０００３】
また、エアガンは連続発射の機能が広く好まれているが、エアガンによる射撃時に高圧の空気で遊底を摺動させ、遊底が撃鉄を押圧して撃発準備状態に戻すことでエアガンは連続して射撃することができる。即ち、遊底のスライドストロークが完了しなければ、エアガンは連続射撃することができない。但し、高圧空気の使用量を増加して遊底スライドストロークを完全に行おうとすれば気体を浪費する現象が発生する。高圧空気の使用量は使用環境の温度にも関連する。よって、ユーザーからバルブの排気量の簡易な調整というニーズが出されている。
【考案の概要】
【考案が解決しようとする課題】
【０００４】
この考案は、ガス圧で弾丸を発射する機構を有し、機械構造の公差を補償し、気密効果を高め、使用環境に応じてバルブの気体排出量を変化させてガスボンベを密閉する動作を強化し、気体の使用効率を高める玩具銃を提供することを課題とする。
【課題を解決するための手段】
【０００５】
上述する課題を解決するために、この考案による玩具銃は、玩具銃本体と、該玩具銃本体に可動な状態に設ける遊底構造部と、該遊底構造部の一方の側に範囲を限定して設けるエアバルブロック当接部と、該玩具銃本体に内設され、かつ下気体制御モジュール及び該下気体制御モジュール上であって、かつ該遊底構造部の一方の側に着脱自在に設ける上気体制御モジュールとを含んでなる銃身座と、該銃身座内に可動な状態に設けられ、かつエアバルブと該エアバルブの一方の側に弾性を具えるように設けるハンマーと該ハンマー上に回動自在に設けられて該エアバルブへの打撃に供し、該ハンマーと該エアバルブの打撃点を修正するハンマー連結桿とを含んでなる撃発部材と、該銃身座に連結して該ハンマーを連動させるために供する引き金連動部と、該銃身座上に着脱自在に設けるエアバルブロックと、該エアバルブロックの一方の側に設けられ、かつ該上気体制御モジュールを貫通するように設けられて該エアバルブの位置移動の動作を制限するエアバルブロック位置制限部と、該エアバルブロックの一方の側に形成され、かつ該上気体制御モジュールから凸出するように形成され、該エアバルブロック当接部の動作に合わせて作動し、該エアバルブロック当接部の当接の動作を制御するエアバルブロック被押圧部と、該エアバルブロックの底部に設けるエアバルブロックバネと、該玩具銃本体の一方の側に形成され、該下気体制御モジュールに連通するとともに、ガスボンベに接続する気体進入通路と、該気体進入通路内に可動な状態に設けられる刺衝部材と、該刺衝部材の尖頭状挿入部を形成する側とは逆の側に保留する蓄圧空間と、を含んでなり、該刺衝部材が、該ガスボンベに連通する尖頭状挿入部と、該尖頭状挿入部から該刺衝部材を貫通する気体送り孔とを含み、該蓄圧空間を設けることによって、該気体送り孔を介して送られる気体で該刺衝部材を該ガスボンベに向かって押圧する。
【０００６】
ユーザーがこの考案による玩具銃本体を操作する場合、予め気体進入通路からガスボンベを取り付け、刺衝部材の尖頭状挿入部によってガスボンベを開放すると、気体が刺衝部材を通過して蓄圧空間に至り、蓄積された高圧の気体が刺衝部材を押圧してガスボンベに緊密に接し、係る効果により良好な密封の目的を達成する。
【０００７】
また、ユーザーが引き金部連動部を引くと、ハンマーが開放されてハンマー連結桿が前方に押され、エアバルブを押圧する。ガスボンベの高圧に気体は気体進入通路を介して遊底構造に至りセミオートの動作を完成させる。限りある銃身座の空間内に撃発部材とエアバルブを設けるため、総体的な部材の位置に高低、又は前後の位置のずれが発生する可能性がある。このため、撃発部材はハンマー連結桿の押圧によって作動し、円運動を直線運動に変換して位置のずれを効率よく補償する。射撃時に進入する気体の流量はエアバルブロックとエアバルブロック当接部とを組み合わせることによってエアバルブが気体進入通路に連通するタイミングを制御する。ユーザーは、使用環境の温度に合わせて異なるエアバルブロックを選択することができ、またエアバルブロックを銃身座上に分離方式で設けるため、引き金連動部と撃発部材の特殊な設計によってユーザーは上気体制御モジュールを容易に取り外すことができ、手早くエアバルブロックを交換できるので便利である。
【考案の効果】
【０００８】
上述するこの考案の技術は、従来のエアガンに見られるように、構造部に公差が発生して気体の漏れを招いたり、気体の利用率を低減させたり、もしくは機械構造の動作不良を招いたりすることがなく、さらにフルオートモードの場合に高圧の気体を浪費する恐れがあり、高圧のガスボンベの気密効果が低下するといった問題を改善することができる。よって、上述する課題を解決し、進歩性と実用性が得られる。
【図面の簡単な説明】
【０００９】
【図１】この考案による玩具銃の構造を示した説明図である。
【図２】この考案による玩具銃の局部断面構造を示した説明図である。
【図３】この考案による玩具銃の構造を示した他の説明図である。
【図４】この考案における玩具本体を分解した状態を示した説明図である。
【図５】この考案における引き金連動部を示した斜視図である。
【図６】図５に開示する引き金連動部の他の角度からの斜視図である。
【図７】この考案における撃発モード制御部材の構造を示した説明図である。
【図８】図７に開示するＡ−Ａ線に沿った断面の構造を示した説明図である。
【図９】この考案においてガスボンベを取り付けた状態を示した説明図である。
【図１０】この考案においてガスボンベを取り付けた状態を示した他の説明図である。
【図１１】この考案による玩具銃のセーフモードの状態を示した説明図である。
【図１２】この考案による玩具銃のセミオートモードの状態を示した説明図である。
【図１３】この考案による玩具銃のセミオートモードにおける動作を示した説明図である。
【図１４】この考案による玩具銃のセミオートモードにおける動作を示した他の説明図である。
【図１５】この考案におけるエアバルブロックのロック状態を示した説明図である。
【図１６】この考案におけるエアバルブロックのロック状態を示した他の説明図である。
【図１７】この考案におけるエアバルブロックのロック開放状態を示した説明図である。
【図１８】この考案におけるエアバルブロックのロック開放状態を示した他の説明図である。
【図１９】この考案による玩具銃のフルオートモードの状態を示した説明図である。
【図２０】この考案による玩具銃のフルオートモードにおける動作を示した説明図である。
【図２１】この考案におけるエアバルブロック交換の動作を示した説明図である。
【図２２】第２の実施の形態における銃身座を分解した状態を示した説明図である。
【図２３】第２の実施の形態による玩具銃の構造を示した説明図である。
【図２４】第３の実施の形態における撃発部材の構造を示した説明図である。
【図２５】第３の実施の形態におけるフルオートモードの動作を示した説明図である。
【図２６】第３の実施の形態におけるフルオートモードの動作を示した他の説明図である。
【図２７】第４の実施の形態における気体の流れを示した説明図である。
【図２８】第４の実施の形態における気体の流れを示した他の説明図である。
【考案を実施するための形態】
【実施例１】
【００１０】
図１から図８に開示するように、この考案による玩具銃は、玩具銃本体１を含む。
【００１１】
また、玩具銃本体１に可動な状態に設ける遊底構造部１１を含む。
【００１２】
また、遊底構造部１１の一方の側に範囲を限定して設けるエアバルブロック当接部１１１を含む。
【００１３】
また、玩具銃本体１に内設される銃身座２を含む。銃身座２は下気体制御モジュール２１と、下気体制御モジュール２１上であって、かつ遊底構造部１１の一方の側に着脱自在に設ける上気体制御モジュール２２とを含むとともに、銃身座２の一方の側には摺動溝２５を形成する。
【００１４】
また、銃身座２内に可動な状態に設ける撃発部材３を含む。撃発部材３は、エアバルブ３１と、エアバルブ３１の一方の側に弾性を具えるように設けるハンマー３２と、ハンマー３２上に回動自在に設けられ、エアバルブ３１への打撃に供し、ハンマー３２とエアバルブ３１の打撃点を修正するハンマー連結桿３３と、ハンマー３２の一方の側に回動自在に設けるメインハンマーフック３４と、メインハンマーフック３４の一方の側に設けるハンマーフックバネ３４１と、メインハンマーフック３４の一方の側に形成するハンマーフック被押圧部３４２とを含む。メインハンマーフック３４はハンマー３２を撃発可能状態に固定する。ハンマーフックバネ３４１はメインハンマーフック３４の固定可能状態への復帰に供する。ハンマー３２は一方の側にハンマーバネ３２１と、ハンマー軸３２２と、及びメインハンマーフック３４に合わせて作動する第１位置制限部３２３とを具える。ハンマーバネ３２１は、ハンマー３２が外部の力に抵抗できない場合、自然に元に復帰するために供する。ハンマー連結桿３３上には、ハンマー軸３２２一方の側に設けた連結桿軸３３１を有する。
【００１５】
また、銃身座２に連結する引き金連動部４を含む。引き金連動部４はハンマー３２を連動させるために供し、かつ引き金座４１と、引き金座４１上に設ける引き金部４２と、引き金座４１の一方の側に設ける引き金バネ４３と、引き金座４１の引き金部４２を設ける側とは逆の側に回動自在に設ける引き金連動桿４４と、引き金連動桿４４の引き金座４１側とは逆の一端に設ける引き金連結桿当接部４５と、及び引き金連結桿４４の一方の側に設ける引き金連結桿バネ４６とを含む。引き金連結桿当接部４５は、ハンマーフック被押圧部３４２の動作に合わせて作動する。
【００１６】
また、銃身座２上に設ける撃発モード制御部材２３を含む。撃発モード制御部材２３は、銃身座２の外部に設ける操作レバー部２３１と、及び操作レバー部２３１の一方の側に設けられ、かつ引き金連動部４の引き金連動桿４４の動作に合わせて作動してメインハンマーフック３４の固定状態を制御する撃発位置制限部材２３２とを含む。引き金座４１上には撃発位置制限部材２３２上に当接する引き金制御部材４１１を設ける。さらに、撃発位置制限部材２３２上には、引き金制御部材４１１の回転を阻止する撃発位置制限ブロック２３２１と、及び引き金連動桿４４の動作角度の制御に供する撃発位置制限部２３２２とを有し、撃発位置制限ブロック２３２１は、撃発位置制限部材２３２上に形成される第１位置制限溝Ａと、第１位置制限溝Ａの一方の側に形成される第２位置制限溝Ｂとを含む。第１位置制限溝Ａは、引き金制御部材４１１が第１ストロークとして回転するために供し、第２位置制限溝Ｂは、引き金制御部材４１１が第２ストロークとして回転するために供する。該第１ストロークは該第２ストロークより短い。
【００１７】
また、銃身座２上に着脱自在に設けるエアバルブロック５を含む。
【００１８】
また、エアバルブロック５の一方の側に設けられ、かつ上気体制御モジュール２２を貫通するように設けるエアバルブロック位置制限部５１を含む。エアバルブロック位置制限部５１はエアバルブ３１の位置移動の動作を制限する。
【００１９】
また、エアバルブロック５の一方の側に形成され、かつ上気体制御モジュール２２から凸出するように形成するエアバルブロック被押圧部５２を含む。エアバルブロック被押圧部５２はエアバルブロック当接部１１１の動作に合わせて作動し、エアバルブロック当接部１１１の当接の動作を制御する。
【００２０】
また、エアバルブロック５の底部に設けるエアバルブロックバネ５３を具える。
【００２１】
また、玩具銃本体１の一方の側に形成され、下気体制御モジュール２１に連通する気体進入通路１２を具える。気体進入通路１２は、ガスボンベ７に接続するとともに、気体進入通路１２の内壁には、以下に述べる刺衝部材６の移動する経路であるガイド溝１２１を形成する。
【００２２】
また、気体進入通路１２内に可動な状態に設ける刺衝部材６を具える。刺衝部材６は、ガスボンベ７に連通する尖頭状挿入部６１と、尖頭状挿入部６１から刺衝部材６を貫通する気体送り孔６２と、及びガイド溝１２１に当接する気密部材６４とを含む。
【００２３】
また、刺衝部材６の尖頭状挿入部６１を形成する側とは逆の側に保留する蓄圧空間６３を具える。蓄圧空間６３を設けることによって、気体送り孔６２を介して送られる気体で刺衝部材６をガスボンベ７に向かって押圧する。
【００２４】
この考案の技術的な構造は上述するとおりであるが、係る構造を応用することによって、機械構造の公差を効率よく補って気密効果を高め、使用環境に応じてバルブの排気量を変更し、ガスボンベの密閉動作を強化し、エアガン全体の気体の使用効率を効率よく高めるなどの優れた特徴が得られる。詳細は次に述べるとおりである。
【００２５】
図１から２１に開示するように、この考案における玩具銃本体１は高圧のガスボンベ７を動力供給元とするエアガンである。このため、使用する前に、予め気体進入通路１２からガスボンベ７を取り付けなければならない。取り付ける場合は、ガスボンベ７を気体進入通路１２にネジ止めする動作以外に、刺衝部材６の尖頭状挿入部６１によってガスボンベ７を開放する。この場合、高圧の気体が瞬時にガスボンベ７から吐出され、尖頭状態挿入部６１の気体送り孔６２を経て刺衝部材６を通過し、蓄圧空間６３に至る（図９参照）。刺衝部材６は気密部材６４によってガイド溝１２１上に当接し、ガイド溝１２１上において狭い範囲で作動するよう設計されている。このため、高圧の気体が下気体制御モジュール２１に充満すると、蓄圧空間６３内の気体はガスボンベ７の方向に刺衝部材６の外壁を押圧し、高圧の気体を利用して刺衝部材６とガスボンベ７とを緊密に連結する（図１０参照）。したがって、従来の技術ではガスボンベ７を緊密にネジ止めするために力を必要としたが、この考案においては刺衝部材６を利用する簡易な設計を用いることで、ガスボンベ７の連結の動作を簡易化し、気密効果を高めることができる。
【００２６】
この考案における玩具銃本体１は、撃発モード調整部材２３の操作レバー部２３１を利用して、セーフ、１発ずつ射撃する状態（セミオート）、連続射撃する状態（フルオート）の調整を行なう。撃発モード調整部材２３は撃発位置制限部材２３２によって引き金連動桿４４及び引き金制御部材４１１にそれぞれ対応して作動し、引き金連動桿４４の角度と引き金制御部材４１１のストロークを調整する。このため、ユーザーは引き金部４２を同一の動作で引いて異なる撃発の効果をえることができる。撃発位置制限部材２３２の撃発位置制限ブロック２３２１はＬ字状を呈するか、もしくは半径の長さが異なる扇状とする。その長い辺の長さは撃発位置制限部材２３２の半径より長くし、かつ撃発位置制限部材２３２の円心の第１位置制限溝Ａを通過する。第１位置制限溝Ａの端面は撃発位置制限部材２３２の円形外周壁上に範囲が限定される。また、短い辺は第１位置制限溝Ａの他方の端面に範囲が限定される。よって、長さは撃発位置制限部材２３２の半径の第２位置制限溝Ｂより短い（図７、８参照）。
【００２７】
セーフの状態を例に挙げると、操作レバー部２３１を回転させ前方（銃口の方向）に向かわせると、引き金制御部材４１１は第１位置制限溝Ａの影響を受けて撃発位置制限部材２３２の円形外周壁に当接して回転運動ができないようにする。このためユーザーが引き金部４２を引いても射撃ができなくなる（図１１参照）。
【００２８】
セミオートの状態では操作レバー部２３１を上方に向ける。この場合、引き金制御部材４１１は撃発位置制限ブロック２３２１に当接していなく、かつ第１位置制限溝Ａとの間隔は撃発位置制限部材２３２の半径と等しい長さとなる。この間隔の長さが、即ち引き金制御部材４１１の第１ストロークになる。ユーザーが引き金部４２を引くと、引き金制御部材４１１は引き金部４２に連動して回転し、最終的に第１位置制限溝Ａの一方の側に当接する（図１２参照）。引き金連結桿４４上の円形孔４４１には、引き金座４１上の凸出した円柱状軸４１２が係合するとともに、引き金座４１に連動して引き金座４１の回転運動を引き金連結桿４４の前後への水平運動に変換する。同時に、引き金連結桿４４は円柱状軸４１２を円運動の中心として扇状に回動する。但し、引き金連結桿バネ４６の弾力による支持と、上気体制御モジュール２２の溝位置制限空間２１１との影響を受けて、引き金連結桿４４は前後への移動と幅の狭い扇状の回転運動しかできなくなる。引き金連動桿４４が扇状に回動することは、この考案による玩具銃の機能の成立に対して極めて重要な関連を持つ。引き金連結桿４４は、前後に移動し、かつ上下に扇状に回動するという動作の自由性を有する。よって、上気体制御モジュール２２、下気体制御モジュール２１の公差に適応する微調整を行なうことができ、上下、もしくは前後方向に偏ることで空白の位置を補償する。したがって、引き金連結桿４４が引き金部４２による押圧を受けて連動する場合、図１２から図１４に開示するように引き金連結桿当接部４５がメインハンマーフック３４のハンマーフック被押圧部３４２を引っ張る。このためメインハンマーフック３４がハンマー３２の第１位置制限部３２３の動作を固定する。但し、第１ストロークのルートが比較的長いため、引き金連結桿４４の前方への移動の幅も比較的大きくなり、かつ撃発位置制限部２３２２によって、この場合の引き金連結桿４４は傾斜した状態となる。したがって、メインハンマーフック３４が回転して一定の角度に至ると、ハンマーフック被押圧３４２は引き金連結桿当接部４５の押圧をさらに受けることがなくなり、かつハンマーフックバネ３４１の弾力によって、ハンマーフック被押圧部３４２から下方に引き金結桿４４を押圧する動作に転換する。このため引き金連結桿４４の扇状の回転が下方に引き金連結桿バネ４６を押圧し傾斜させて撃発位置制限部２２３２の２一方の側に押し込む。よって、引き金連結桿当接部４５がハンマーフック被押圧部３４２から離れる。また、ハンマーフックバネ３４１が弾力で自動的に復帰する効果によって、１回毎の引き金部４２を押圧する動作がユーザーによる１回の射撃にのみ供され、再度ハンマー３２の回転を制限する。
【００２９】
ユーザーが引き金部４２を引くと、ハンマー３２はハンマーバネ３２１の作用を受け、かつハンマー軸３２２を回転の中心軸として自然に元の位置に復帰する。ハンマー連結桿３３はハンマー軸３２２の一方の側の連結桿軸３３１を回転の中心軸として回転するとともに、ハンマー連結桿３３の他端であって、即ち連結桿軸３３１とは反対側の一端は、銃身座２上の摺動溝２５が連動する方向を制限するため、ハンマー３２の回転の動作によってハンマー連結桿３３の末端が外部から水平方向にエアバルブ３１を押圧する。よって、従来の技術に見られるようにハンマー３２の位置を正確にエアバルブ３１に合わせなければならないという問題を改善することができる。撃発部材３のハンマー連結桿３３は、ハンマー３２か、もしくはエアバルブ３１の位置の偏差の許容度を増加させることができ、このため互いに連動するすべての部材が、いずれも限りある玩具銃本体の内部空間に設置され、かつ必要とする機能を発生させることができる。
【００３０】
同時に、例えば図１５から図１７に開示するように、エアバルブ３１が開放されると、同時にエアバルブロック５はエアバルブロックバネ５３の付勢力でエアバルブロック５のエアバルブロック位置制限部５１を上昇させてエアバルブ当接部３１１に当接させる（図１５、１６参照）。このため高圧の気体が瞬時に放出され、かつ上気体制御モジュール２２、下気体制御モジュール２１内に設けた気体進入通路１２を通過して遊底構造部１１に進入し、遊底構造部１１内のピストンが高圧の気体による駆動で玩具銃本体１内を後方に移動する。また、遊底構造１１が後方に移動すると同時に、ハンマー３２が撃発準備状態となるとともに、エアバルブ当接部１１１がエアバルブロック５のエアバルブロック被当接部５２に当接し、かつ後方に移動する動力がエアバルブ被当接部５２によってエアバルブロック５を下降させる動力に変換される（図１７参照）。この場合、エアバルブロック５のエアバルブロック位置制限部５１もエアバルブロック５に同期して下降し、エアバルブ３１の後方移動の制限を解除する。よって、エアバルブ３１が撃発準備位置に至るまで移動し、高圧の気体の放射を閉鎖する（図１８参照）。次いで、遊底構造１１はエアバルブ３１が後方に移動するため高圧の気体が遊底構造１１を後方に押圧する動力を閉鎖する。このため遊底構造１１は遊底がバネの付勢力で前方に移動してリセットされ、ハンマー３２は遊底構造１１の制限を受けなくなる。遊底構造１１が前方に移動してリセットされる動作は、同時に次の撃発を待つ動作でもある。
【００３１】
フルオートの状態において使用する場合、操作レバー部２３１は後方に向かった状態となる。この場合、引き金制御部材４１１は撃発位置制限ブロック２３２１に当接していなく、引き金制御部材４１１と第１位置制限溝Ｂとの間隔は撃発位置制限部材２３２の半径より短くなる。この間隔の長さは、即ち引き金制御部材４１１の第２ストロークである（図１９参照）。ユーザーが引き金部４２を引いて押圧すると、引き金連結桿４４は同様に引き金座４１を中心として回転する。引き金連結桿４４が引き金部４２の押圧を受けて連動すると、第２ストロークの距離が比較的短いため、引き金連結桿４４が前方に移動するストロークは比較的短くなる。別途、操作レバー部２３１を操作することで撃発モード制御モジュール２３が後方に向くと、撃発位置制限部２３２２は回転にしたがって後方に向かって引き金連結桿４４から離れ、かつ引き金連結桿４４とは平行ではなくなる。この場合、引き金連結桿４４には転じて撃発モード制御部材２３の最大の外径の端縁部が当接する。このため引き金連結桿４４が前後方向への水平移動の動作しかできなくなり、下方に向かって扇状に回転運動をして撃発位置制限部２３２２に押し込まれるという動作をしなくなる。よって、引き金連結桿当接部４５は継続してメインハンマーフック３４のハンマーフック被当接部３４２に当接し、このためメインハンマーフック３４のハンマー３２を固定する第１位置制限部３２３を開放する状態が維持される（図２０参照）。よって、フルオートによる連続射撃の目的が達成される。
【００３２】
また、図２１に開示するように、この考案における銃身座２は、下気体制御モジュール２１と上気体制御モジュール２２とによって分離式の形態をなし、かつ気体の流量を制御するエアバルブロック５も上気体制御モジュール２２上に設けられる。よって、ユーザーは使用環境の温度に合わせて遊底構造１１と上気体制御モジュール２２とを容易に分離させることができ、エアバルブロック被当接部５２が異なり位置にあるエアバルブ５に交換することができる。具体的に述べれば、エアバルブロック被当接部５２がエアバルブロック当接部１１１から離れれば離れるほど、遊底構造１１が後方に移動する場合にエアバルブロック被当接部５２に接触するタイミングが遅くなり、排出する気体の量が増加する。よって、使用環境の温度が低い場合に適用できる。エアバルブロック５を開放する時間が遅れれば遅れるほど放出される気体の量が増加し、低温によって気体の圧力が不足するという状況を避けることができる。逆に、エアバルブロック被当接部５２がエアバルブ当接部１１１から離れる距離が近いほど気体を排出する時間が減少し、排出する気体の量もこれにともない減少する。よって、使用環境の温度が高い場合に適用する。
【実施例２】
【００３３】
図２２、図２３に開示するように、第２の実施の形態は上述する第１の実施の形態とほぼ同様であるが、銃身座２ａが下気体制御モジュール２１ａと上気体制御モジュール２２ａとの間に設ける押上げ調整板２４ａを少なくとも１以上含む点のみが異なる。エアガンについて述べると、複雑な構造は下降の工程において摩耗、又は他の物体にぶつかるなどの情況が容易に発生し、このため微妙な公差が発生する。このため気体の漏れが発生し、気密性が不足して気体の利用効率の低下を招き、もしくは内部の機械構造の動作不良などの情況を招く。よって、この考案の分離方式の銃身座２ａにおいて公差の発生が認められた場合、上気体制御モジュール２２ａを取り外して下気体制御モジュール２１ａ上に押上げ調整板２４ａを追加することで、上気体制御モジュール２２ａの位置を高くし、銃身座２ａと遊底構造１１ａとの間の公差による隙間を縮小する。同時に上気体制御モジュール２２ａの気体の出口となる箇所のゴムと遊底構造１１ａの気体進入口との間の気密効果を高めることができる。
【実施例３】
【００３４】
図２４から図２６に開示するように、第３の実施の形態は上述する第１の実施の形態とほぼ同様であるが、撃発部材３ｂがエアバルブロック５ｂの一方の側に回動自在に設けてハンマー３２ｂの当接に供し、その動作を遅延させるサブハンマー桿３５ｂと、サブハンマー桿３５ｂ上に形成され、かつ銃身座２ｂより凸出するサブハンマー桿被当接部３５１ｂとを含む点のみが異なる。また、ハンマー３２ｂの一方の側にはサブハンマー桿３５ｂの動作に合わせて作動する第２位置制限部３２４ｂを具える。遊底構造１１ｂの一方の側に範囲を限定してサブハンマー桿被当接部３５１ｂの動作に合わせて作動するサブハンマー桿当接部１１２ｂを形成する。よって、フルオートの状態において、メインハンマーフック３４ｂが開放状態を維持することで遊底構造１１ｂが前方に移動する場合にハンマー３２ｂが撃発準備状態に固定できなくなり、遊底構造１１ｂが完全にリセットされていない状態でハンマー３２ｂが早めに撃発を行なうという問題の発生を避けるために、サブハンマー桿３５ｂがハンマー３２ｂの第２位置制限部３２４ｂに当接し、遊底構造１１ｂがサブハンマー桿当接部１１２ｂに至るまで前方に移動してサブハンマー桿被当接部３５１ｂに接触すると、始めてサブハンマー桿３５ｂのハンマー３２ｂに対する制限の効果を開放する。よって、連続射撃の状態においてハンマー３２ｂの動作を遅延させる。フルオートのモードにおいてハンマー３２ｂを開放するタイミングは遊底構造１１ｂの制御を受け、撃発を行なう毎のタイミングが同様になるように確保する。
【実施例４】
【００３５】
図２７、２８に開示するように、第４の実施の形態は上述する第１の実施の形態とほぼ同様であるが、エアバルブ３１ｃ上であって、気体進入通路１２ｃに隣り合う側に少なくとも１以上の圧力抜きガイド溝３１５ｃを形成した点のみが異なる。即ち、エアバルブ３１ｃが前方に移動する場合（銃口方向に移動する場合）にエアバルブ３１ｃに連動する気体進入通路１２ｃの一方の側に環状に圧力抜きガイド溝３１５ｃを形成する。この圧力抜きガイド溝３１５ｃの機能はエアバルブ３１ｃの反応を敏感にすることにある。エアバルブ３１ｃが撃発部材３ｃの押圧を受けて、エアバルブ３１ｃ上の密封リング３１２ｃがエアバルブ位置制限銅スリーブ３１３ｃをやや離れると、気体は圧力抜きガイド溝３１５ｃの合流機能によってエアバルブ３１ｃ上の排気孔３１４ｃに流れる。よって排気孔３１４ｃがエアバルブ位置制限銅スリーブ３１３ｃから完全に離れるのを待つまでもなく最大の排気量が得られる。別途、圧力抜きガイド溝３１５ｃが、エアバルブ開放時に高圧の気体がエアバルブ３１ｃに進入してエアバルブ位置制限銅スリーブ３１３ｃとの間に隙間Ｇが発生することを効率よく防ぐことができ、かつ気体が隙間Ｇに入り込み外部に漏れることを効率よく減少させることができる。よって、高圧の気体の利用効率を高め、流失を減少させることができる。
【符号の説明】
【００３６】
１                    玩具銃本体
１１、１１ａ、１１ｃ  遊底構造部
１１１                エアバルブブロック当接部
１１２ｂ              サブハンマー桿当接部
１２、１２ｃ          気体進入通路
１２１                ガイド溝
２、２ａ、２ｂ        銃身座
２１、２１ａ          下気体制御モジュール
２１１                溝位置制限空間
２２、２２ａ          気体上制御モジュール
２３                  撃発モード制御部材
２３１                操作レバー部
２３２                撃発位制限部材
２３２１              撃発位置制限ブロック
２３２２              撃発位置制限部
２４ａ                押上げ調整板
２５                  摺動溝
３、３ｂ、３ｃ        撃発部材
３１、３１ｃ          エアバルブ
３１１                エアバルブ当接部
３１２ｃ              密封リング
３１３ｃ              エアバルブ位置制限銅スリーブ
３１４ｃ              排気孔
３１５ｃ              圧力抜きガイド溝
３２、３２ｂ          ハンマー
３２１                ハンマーバネ
３２２                ハンマー軸
３２３                第１位置制限部
３２４ｂ              第２位置制限部
３３                  ハンマー連結桿
３３１                連結桿軸
３４、３４ｂ          メインハンマーフック
３４１                メインハンマーフックバネ
３４２                ハンマーフック被押圧部
３５ｂ                サブハンマー桿
３５１ｂ              サブハンマー桿被当接部
４                    引き金連動部
４１                  引き金座
４１１                引き金制御部材
４１２                円柱状軸
４２                  引き金部
４３                  引き金バネ
４４                  引き金連動桿
４４１                円形孔
４５                  引き金連結桿当接部
４６                  引き金連結桿バネ
５、５ｂ              エアバルブロック
５１                  エアバルブロック位置制限部
５２                  エアバルブロック被押圧部
５３                  エアバルブロックバネ
６                    刺衝部材
６１                  尖頭状挿入部
６２                  気体送り孔
６３                  蓄圧空間
６４                  気密部材
７                    ガスボンベ
Ａ                    第１位置制限溝
Ｂ                    第２位置制限溝
Ｇ                    隙間
【図１】
0003222458.tif 000003
【図２】
0003222458.tif 000004
【図３】
0003222458.tif 000005
【図４】
0003222458.tif 000006
【図５】
0003222458.tif 000007
【図６】
0003222458.tif 000008
【図７】
0003222458.tif 000009
【図８】
0003222458.tif 000010
【図９】
0003222458.tif 000011
【図１０】
0003222458.tif 000012
【図１１】
0003222458.tif 000013
【図１２】
0003222458.tif 000014
【図１３】
0003222458.tif 000015
【図１４】
0003222458.tif 000016
【図１５】
0003222458.tif 000017
【図１６】
0003222458.tif 000018
【図１７】
0003222458.tif 000019
【図１８】
0003222458.tif 000020
【図１９】
0003222458.tif 000021
【図２０】
0003222458.tif 000022
【図２１】
0003222458.tif 000023
【図２２】
0003222458.tif 000024
【図２３】
0003222458.tif 000025
【図２４】
0003222458.tif 000026
【図２５】
0003222458.tif 000027
【図２６】
0003222458.tif 000028
【図２７】
0003222458.tif 000029
【図２８】
0003222458.tif 000030